【手続補正書】
【提出日】平成26年7月4日(2014.7.4)
【手続補正１】
【補正対象書類名】特許請求の範囲
【補正対象項目名】全文
【補正方法】変更
【補正の内容】
【特許請求の範囲】
【請求項１】
長尺体に沿って移動自在に取り付ける移動基体に、前記長尺体に被嵌する被嵌体を前記移動基体に対して往復スライド移動自在に設け、この被嵌体を前記移動基体に対して往復スライド移動する駆動装置を前記移動基体に設け、前記被嵌体は、断面凹状に形成した上側被嵌半体と下側被嵌体とからなり、この上側被嵌半体と下側被嵌体の開口部同士を突き合わせ状態にして左右いずれか一側を枢着部材で連結して上側被嵌半体に対して下側被嵌半体を回動開閉自在に設けて半割自在に構成し、この被嵌体の内側に前記長尺体の外周面を包囲して当接するシート状研磨体を設け、このシート状研磨体は、このシート状研磨体自体が厚さ方向に伸縮する弾性を有し、前記被嵌半体を前記長尺体を被嵌した際に、この長尺体の外周面に押圧状態で密着する構成とし、前記駆動装置による前記被嵌体の往復スライド移動によりこの長尺体の外周面に被嵌し押圧状態に密着する前記シート状研磨体が前記長尺体の外周面を往復研磨し得るように構成したことを特徴とする素地調整工具。
【請求項２】
前記シート状研磨体は、前記被嵌体の内面に着脱自在に設けた構成とし、厚みの異なるシート状研磨体に付け替え自在な構成としたことを特徴とする請求項１記載の素地調整工具。
【請求項３】
前記シート状研磨体と前記被嵌体の内周面との間にスペーサーを着脱自在に設けた構成としたことを特徴とする請求項１記載の素地調整工具。
【請求項４】
前記移動基体は、ハンドル部を具備した本体部に設けた構成とし、このハンドル部を把持しながら前記本体部を前記長尺体に沿って押動若しくは引動操作して、前記移動基体を前記長尺体に沿って移動させるように構成したことを特徴とする請求項１〜３のいずれか１項に記載の素地調整工具。
【手続補正２】
【補正対象書類名】明細書
【補正対象項目名】全文
【補正方法】変更
【補正の内容】
【発明の詳細な説明】
【発明の名称】素地調整工具
【技術分野】
【０００１】
本発明は、例えば、鋼管や電線管などの金属製長尺体の表面の錆や塗装膜を除去したり、表面を研削したりするための素地調整工具に関するものである。
【背景技術】
【０００２】
鉄塔の構造要素である鋼管や、電線の保護を目的とする電線管には、一般的に錆などの発生を防止する防食用塗膜が塗装されているが、この防食用塗膜は経時劣化して剥がれ落ちてしまうため、定期的な塗り替え作業を行う必要があった。
【０００３】
この塗り替え作業は、前処理として、鋼管や電線管に付着している古い塗膜を綺麗に除去する素地調整作業が必須であるが、この素地調整作業は、ディスクサンダーなどの電動式の素地調整工具を用いて作業することが一般的である。
【発明の概要】
【発明が解決しようとする課題】
【０００４】
しかしながら、上述したディスクサンダーなどの従来の素地調整工具は、研磨体の研磨面が平面に構成されており、そのため、鋼管や電線管などの円筒形の長尺体のように外周面が曲面状のものに対しては、面接触とならずに線接触となってしまうため、研磨体を当接させた際の研磨面積が非常に狭く作業効率が悪かった。
【０００５】
また、橋梁の電線管のように、狭隘なところに複数の長尺体が並設状態に配設されているような場合は、長尺体同士の配設間隔が狭くなっているので、長尺体同士の間隙にディスクサンダーなどの電動式の素地調整工具を配設することができず、そのため、ディスクサンダーなどの電動式の素地調整工具を用いた効率的な素地調整作業ができず、作業者が手作業で素地調整を行うこととなり、このような手作業は、膨大な労力とコストが掛かり、また、作業者への負担も大きく非常に厄介な作業であった。
【０００６】
本発明は、このような素地調整作業の問題点を解決し、極めて効率的に長尺体の素地調整作業を行うことができ、更に、狭隘な場所に狭い間隔で並設状態に配設されている電線管や鋼管などの長尺体でも容易に素地調整作業を行うことができる素地調整工具を提供することを目的とする。
【課題を解決するための手段】
【０００７】
添付図面を参照して本発明の要旨を説明する。
【０００８】
長尺体１に沿って移動自在に取り付ける移動基体２に、前記長尺体１に被嵌する被嵌体３を前記移動基体２に対して往復スライド移動自在に設け、この被嵌体３を前記移動基体２に対して往復スライド移動する駆動装置４を前記移動基体２に設け、前記被嵌体３は、断面凹状に形成した上側被嵌半体３ａと下側被嵌体３ｂとからなり、この上側被嵌半体３ａと下側被嵌体３ｂの開口部同士を突き合わせ状態にして左右いずれか一側を枢着部材26で連結して上側被嵌半体３ａに対して下側被嵌半体３ｂを回動開閉自在に設けて半割自在に構成し、この被嵌体３の内側に前記長尺体１の外周面を包囲して当接するシート状研磨体５を設け、このシート状研磨体５は、このシート状研磨体５自体が厚さ方向に伸縮する弾性を有し、前記被嵌半体３を前記長尺体１を被嵌した際に、この長尺体１の外周面に押圧状態で密着する構成とし、前記駆動装置４による前記被嵌体３の往復スライド移動によりこの長尺体１の外周面に被嵌し押圧状態に密着する前記シート状研磨体５が前記長尺体１の外周面を往復研磨し得るように構成したことを特徴とする素地調整工具に係るものである。
【０００９】
また、前記シート状研磨体５は、前記被嵌体３の内面に着脱自在に設けた構成とし、厚みの異なるシート状研磨体５に付け替え自在な構成としたことを特徴とする請求項１記載の素地調整工具に係るものである。
【００１０】
また、前記シート状研磨体５と前記被嵌体３の内周面との間にスペーサーを着脱自在に設けた構成としたことを特徴とする請求項１記載の素地調整工具に係るものである。
【００１１】
また、前記移動基体２は、ハンドル部７を具備した本体部８に設けた構成とし、このハンドル部７を把持しながら前記本体部８を前記長尺体１に沿って押動若しくは引動操作して、前記移動基体２を前記長尺体１に沿って移動させるように構成したことを特徴とする請求項１〜３のいずれか１項に記載の素地調整工具に係るものである。
【発明の効果】
【００１２】
本発明は上述のように構成したから、研磨体と長尺体との接触面積が広大になり、研磨面積が広くなることで、従来に比して、飛躍的に作業効率が向上する。
【００１３】
即ち、ディスクサンダーなどの従来の素地調整工具は、鋼管や電線管など円筒形の長尺体の外周面に対して、面ではなく線で接触して研磨していたため、研磨面積が非常に狭く、極めて作業効率が悪かったが、本発明は、長尺体を被嵌する、具体的には、長尺体の外周面を包囲するように当接して被嵌するので、従来に比して極めて広大な研磨面積となり、効率的に素地調整作業を行うことができることとなる。
【００１４】
しかも、狭隘な場所に狭い間隔で並設状態に配設されている電線管や鋼管などの長尺体に対しても、ディスクサンダーなどの従来の電動工具（素地調整工具）では素地調整作業ができず手作業で素地調整作業を行っていた箇所を、本発明の素地調整工具を用いて極めて容易に素地調整することができるので、手作業に比べて作業効率が著しく向上し、大幅な工期短縮と施工コスト削減を実現できることとなるなど、極めて実用性に優れた画期的な素地調整工具となる。
【００１５】
また、本発明においては、研磨体が長尺体の外周面に良好に圧接した状態で確実に研磨が行われるので、長尺体の外周面の素地調整を極めて効果的に行うことができ、しかも、この圧接は、研磨体自体の弾性によってなされるので、一々、研磨体を長尺体に対して押圧させるための押圧手段を設ける必要がなく、被嵌体を簡易でスリムな構造にすることができるので、長尺体同士の間隙が狭くても、この狭い間隙に被嵌半体を通して、長尺体に被嵌体を被嵌することができることとなるので、従来、電動式の素地調整工具では素地調整作業ができず作業者が手作業で素地調整していた箇所も、極めて容易に素地調整作業することができるようになる。
【００１６】
また、本発明においては、被嵌体が長尺体の外周面全周を包囲するように被嵌するので、一々、被嵌体を長尺体の周方向に移動させることなく効率的にまんべんなく素地調整を施すことができる一層実用性に優れた素地調整工具となる。
【００１７】
また、請求項４記載の発明においては、より一層操作性が向上し、効率よく素地調整作業を行うことができる実用性に優れた素地調整工具となる。
【図面の簡単な説明】
【００１８】
【図１】本実施例の使用状態を示す斜視図である。
【図２】本実施例の使用状態を示す説明側面図である。
【図３】本実施例の移動基体及び被嵌体を示す正断面図である。
【図４】本実施例の移動基体及び被嵌体を示す側断面図である。
【図５】本実施例の駆動装置を示す分解斜視図である。
【図６】本実施例を長尺体に取り付ける際の説明図である。
【図７】本実施例の被嵌体の往復スライド動作原理を示す説明図である。
【図８】本実施例の被嵌体を長尺体に被嵌した状態を示す説明正断面図である。
【発明を実施するための形態】
【００１９】
好適と考える本発明の実施形態を、図面に基づいて本発明の作用を示して簡単に説明する。
【００２０】
本発明は、長尺体１に被嵌する被嵌体３の内側に、長尺体１の外周面を包囲して当接するシート状研磨体５を設けたので、このシート状研磨体５を設けた被嵌体３を長尺体１に被嵌し、駆動装置４を駆動させて被嵌体３を往復スライド移動させることで、長尺体１の被嵌体３が被嵌している部分の外周面を、被嵌体３を周方向に移動させることなく、まんべんなく研磨することができるので、従来のディスクサンダーなどの素地調整工具に比して、極めて効率的に長尺体１の素地調整作業を行うことができるようになる。
【００２１】
しかも、狭隘なところに複数の長尺体１が並設状態に配設されているような場合は、長尺体１同士の配設間隔が狭くなっているので、従来は、長尺体１同士の間隙９にディスクサンダーなどの電動式の素地調整工具を配設することができず、そのため、作業者が手作業で素地調整を行っていたが、本発明は、被嵌半体３ａ，３ｂからなる被嵌体３を、一方の被嵌半体３ａに対して他方の被嵌半体３ｂを分離して、若しくは開き方向に回動して半割れ状態にすることで、素地調整対象である長尺体１同士の間隙９が狭くても容易に長尺体１に被嵌体３を被嵌することができる。
【００２２】
即ち、本発明は、一方の被嵌半体３ａに対して他方の被嵌半体３ｂを回動開閉自在に設けて、この被嵌半体３ｂを開き方向に回動して一方の被嵌半体３ａに対して他方の被嵌半体３ａを半割れ状態にする構成としたので、この被嵌体３を半割れ状態としたことで、半割れ状態の被嵌半体３ａ，３ｂの一方、具体的には、移動基体２側でない方は、長尺体１同士の狭い間隙９を通過し得るスリムな形状となり、容易に長尺体１同士の間隙９に通すことができ、長尺体１に被嵌体３を被嵌することができることとなる。
【００２３】
また、このように長尺体１に被嵌することで、被嵌体３の内側に設けられた長尺体１の外周面を包囲して当接するシート状研磨体５が、長尺体１の外周面に被嵌し押圧状態に密着し、駆動装置４を駆動することで被嵌体３が移動基体２に対し長尺体１に沿って往復スライド移動し、この被嵌体３が往復スライド移動することによって、長尺体１の外周面に押圧密着したシート状研磨体５が長尺体１の外周面を往復研磨することとなり、このシート状研磨体５の往復研磨により長尺体１の素地調整がなされることとなる。
【００２４】
よって、駆動装置４を駆動したまま移動基体２を長尺体１に沿って少しずつ移動させることで、長尺体１がその長さ方向に連続的に素地調整されていくことになる。
【００２５】
従って、狭隘な場所に狭い間隔で並設状態に配設されている電線管や鋼管などの長尺体１の素地調整作業に本発明の素地調整工具を用いれば、作業者が手作業による素地調整作業を行うことを回避でき、よって、作業効率が著しく向上し、大幅な工期短縮と施工コスト削減を実現できるなど、極めて実用性に優れた画期的な素地調整工具となる。
【実施例】
【００２６】
本発明の具体的な実施例について図面に基づいて説明する。
【００２７】
本実施例は、図１〜図３に示すように、長尺体１に沿って移動自在に取り付ける移動基体２に、長尺体１に被嵌する被嵌体３を移動基体２に対して往復スライド移動自在に設け、この被嵌体３を移動基体２に対して往復スライド移動する駆動装置４を移動基体に設け、被嵌体３は、一対の被嵌半体３ａ，３ｂからなり一方の被嵌半体３ａに対して他方の被嵌半体３ｂを回動開閉自在に設けて半割自在に設けた構成とし、この被嵌体３の内側に長尺体１の外周面を包囲して当接する研磨体５を設け、この研磨体５は、一対の被嵌半体３ａ，３ｂを係合し長尺体１を被嵌した際に、この長尺体１の外周面に押圧状態で密着するシート状研磨体５に構成し、駆動装置４による被嵌体３の往復スライド移動によりこの長尺体１の外周面に被嵌し押圧状態に密着するシート状研磨体５が長尺体１の外周面を往復研磨し得るように構成した素地調整工具である。
【００２８】
即ち、本実施例は、被嵌体３を構成する一方の被嵌半体３ａに対して他方の被嵌半体３ｂを分離させて半割状態にし、この半割状態にした他方の被嵌半体３ｂを長尺体１に被嵌した後、一方の被嵌半体３ａをこの他方の被嵌半体３ｂを被嵌した反対側から長尺体１に被嵌するように配してこれら被嵌半体３ａ，３ｂを係合することによって本実施例の被嵌体３を長尺体１に対して取り付けることができるので、長尺体１の両端部が他の部材に連結されてフリーになっていない電線管のような長尺体１に対しても、簡単に取り付けできるように構成した素地調整工具である。
【００２９】
本実施例をより詳細に説明すると、本実施例の移動基体２は、方形状に形成した金属製の板状体10の左右端部に垂下端縁11を設けて正面視コ字状に形成すると共に、板状体10の下面に後述する被嵌体３に設けられるスライドレール部12を貫通配設する貫通配設部13を設けた構成とし、更に、被嵌体３をこの移動基体２に対して往復スライド移動する駆動装置４を設けた構成としている。
【００３０】
また、この移動基体２に設けた駆動装置４は、本体部８と連結した構成とし、この本体部８は、駆動装置４を駆動する電動モータ14とハンドル部７とを備えた構成とし、この本体部８に設けたハンドル部７を把持して移動基体２を長尺体１に沿って移動させることができる構成としている。
【００３１】
この移動基体２と本体部８とを連結する駆動装置４は、駆動伝達部15と駆動変換部16とで構成しており、具体的には、図４，図５に示すように、駆動伝達部15は、第一スピンドル部17と伝達歯車18とからなる構成とし、また、駆動変換部16は、受歯車19と偏心カム20を設けた第二スピンドル部21とからなる構成としており、本体部８に設けた電動モータ14の駆動によって本体部８側に設けられている傘歯車22が回転し、この傘歯車22の回転によって第一スピンドル部17を介して伝達歯車18が回転し、この伝達歯車18の回転によってこの伝達歯車18と係合する伝達受歯車19が回転し、この伝達受歯車19が回転することによって第二スピンドル部21が回転することで、この第二スピンドル部21の下端に設けた偏心カム20が回転する構成としており、この第二スピンドル部21の下端に設けた偏心カム20は、中心軸を第二スピンドル部21の中心軸と位置ズレさせて設けた構成としており、よって、偏心カム20は、第二スピンドル部21の回転運動に対して円運動を行い、駆動を変換するように構成している。
【００３２】
尚、符号23，24，25は軸受である。
【００３３】
また、本実施例の被嵌体３は、一対の凹状に形成した被嵌半体３ａ，３ｂからなり、この凹状の被嵌半体３ａ，３ｂの開口側同士を係合することで長尺体１を貫通配設する貫通孔６を形成するように構成している。
【００３４】
具体的には、被嵌体３は、上下方向に並設状態に配設した上側被嵌半体３ａと下側被嵌半体３ｂとで構成しており、この上側被嵌半体３ａと下側被嵌半体３ｂとは、夫々、方形状の金属個体の一面に長手方向に沿って断面視半円形の凹部を形成し、この上側被嵌半体３ａの凹部と下側被嵌半体３ｂの凹部とを上下方向に対向状態に配して係合することで、長尺体１を貫通し得る円形の貫通孔６を形成するように構成している。
【００３５】
即ち、この被嵌体３で鋼管や電線管などの円筒形の長尺体１を被嵌した際に、長尺体１の外周面を周面方向にぐるり一周包囲するように被嵌する構成としている。
【００３６】
また、本実施例の被嵌体３は、上側被嵌半体３ａと下側被嵌半体３ｂとの一側面同士をヒンジ26で枢着して回動開閉自在に構成すると共に、このヒンジ26を設けた一側面と対向する他側面に掛止係止具27とこの掛止係止具27を引掛け係止する鉤状係止部28を設け、この掛止係止部27を鉤状係止部28に引掛け係止することで、上側被嵌半体３ａと下側被嵌半体３ｂとの係合状態を保持する構成とし、本実施例においては、上側被嵌半体３ａに掛止係止具27を設け、下側被嵌半体３ｂに鉤状係止部28を設けた構成としている。
【００３７】
即ち、本実施例の被嵌体３は、掛止係止具27と鉤状係止部28との係止状態を解除し、図６（ａ），（ｂ）に示すように、上側被嵌半体３ａに対して下側被嵌半体３ｂを開動作動することでこの下側被嵌半体３ｂを半割れ状態にし、この半割れ状態となった下側被嵌半体３ｂの先端部を長尺体１の側方付近から下部側に向かってこの長尺体１の外周面に沿って周方向に移動させることで、この下側被嵌半体３ｂが長尺体１の下部側を被嵌し、この長尺体１の下部側を被嵌した下側被嵌半体３ｂと上側被嵌半体３ａとを係合し、掛止係止具27を鉤状係止部28に引掛け係止してこの係合状態を保持するようにすることで、この長尺体１に被嵌体３を取り付けることができる構成としている。
【００３８】
従って、本実施例の素地調整工具は、単独で配設されている鋼管や電線管などの長尺体１への取り付けは勿論のこと、狭隘な場所に複数の長尺体１が密集して並設されていて長尺体１同士の間隙９が狭い状況であっても、この間隙９が下側被嵌半体３ｂの先端部を挿入し得る間隔であれば、この間隙９から下側被嵌半体３ｂの先端部を長尺体１の周方向に沿って移動させながらこの長尺体１の下部側に下側被嵌半体３ｂを被嵌させることができ、この長尺体１の下部側に被嵌した下側被嵌半体３ｂと上側被嵌半体３ａとを係合させるだけで長尺体１同士の間隙９が狭い配設条件においても、長尺体１に対して被嵌体３を被嵌状態に取り付けることができるように構成している。
【００３９】
また、本実施例の被嵌体３は、上側被嵌半体３ａの正面及び背面にレール支持部29を設け、この被嵌体３の前後に設けたレール支持部29にスライドレール部12を複数（本実施例では二本）設けた構成としている。
【００４０】
具体的には、上側被嵌半体３ａの正面及び背面に板状に形成したレール支持部29を垂設し、この板状のレール支持部29間に上述した移動基体２に設けた貫通配設部13に貫通配設し、且つ、この貫通配設部13にスライド移動自在に設けられるパイプ状のスライドレール部12を二本架設した構成としている。
【００４１】
また更に、本実施例の被嵌体３は、上側被嵌半体３ａの上面に、駆動装置４に設けた偏心カム20と係合するカム係合部30を設けた構成としている。
【００４２】
このカム係合部30は、中心部に被嵌体３の左右方向（幅方向）に長い横長開口部31を形成した構成としている。
【００４３】
また、横長開口部31は、長径寸法、即ち、被嵌体３の左右方向の寸法を偏心カム20の直径よりやや径大に設定し、短径寸法、即ち、被嵌体３の前後方向の寸法を偏心カム20の直径と略同径に設定して、所謂、楕円形状に形成した構成としている。
【００４４】
即ち、この楕円状の横長開口部31に挿入配設した偏心カム20の円運動によって、この偏心カム20がカム係合部30を前後方向に押動するように構成し、この被嵌体３を移動基体２に対して往復スライド移動するように構成している。
【００４５】
この偏心カム20の円運動によってカム係合部30が前後方向に押動される作動について説明すると、図７（ａ）の状態（位相０°）から、図７（ｂ）のように第二スピンドル部21が図中矢印方向に９０°回転すると（位相９０°とすると）、偏心カム20の回転により第二スピンドル部21の中心軸から最も遠い位置にある偏心カム20の外周面が、カム係合部30に設けた横長開口部31の内周面、具体的には、被嵌体３の正面側の内周面（図面右側の内周面）に当接して、カム係合部30を被嵌体３の正面方向（前方）へ押動することになる。
【００４６】
更に、図７（ｃ）のように第二スピンドル部21が図中矢印方向に９０°回転すると（位相１８０°とすると）、横長開口部31の正面側内周面を押動していた偏心カム20の外周面が横長開口部31の右側内周面（図面上側の内周面）に当接するように位相変化してカム係合部30が下方へ下がり（被嵌体３が位相０°の状態と同じ高さとなり）、引き続いて図７（ｄ）のように第二スピンドル部21が図中矢印方向に９０°回転すると（位相２７０°とすると）、第二スピンドル部21の中心軸から最も遠い位置にある偏心カム20の外周面が、カム係合部30に設けた横長開口部31の内周面、具体的には、被嵌体３の背面側の内周面（図面左側の内周面）に当接して、カム係合部30を被嵌体３の背面方向（後方）へ押動することになる。
【００４７】
尚、図中符号32は偏心カム20の外周面に設けた軸受（ボールベアリング）であり、この軸受32が偏心カム20とカム係合部30に設けた横長開口部31の内周面との当接移動を円滑にする構成としている。
【００４８】
以下、第二スピンドル部21の回転によってこの動きを繰り返すこととなり、よって、本実施例は、上述したように、偏心カム20の円運動により横長開口部31の前後方向の内周面が偏心カム20によって押動されることでカム係合部30が前後方向に押動されることとなり、このカム係合部30が押動されることで、このカム係合部30を設けている被嵌体３が移動基体２に対してその上下方向に往復スライド移動する構成としている。
【００４９】
また、この被嵌体３は、この被嵌体３の内側、具体的には、被嵌体３に設けた貫通孔６の内周面に、長尺体１の外周面を包囲して当接する研磨体５を設けた構成とし、より具体的には、この研磨体５は、一対の被嵌半体３ａ，３ｂを係合し長尺体１を被嵌した際に、この長尺体１の外周面に押圧状態で密着するシート状研磨体５に構成している。
【００５０】
更に詳細に説明すると、本実施例のシート状研磨体５は、形状を方形状に形成し、縦横の長さは、一方を被嵌体３の貫通孔６の長さと略同じ長さに設定し、もう一方が被嵌体３の内周面の円周と略同じ長さに設定して、被嵌体３の貫通孔６の内周面を略完全に被覆する形状に形成し、長尺体１に被嵌して長尺体１を被嵌体３の貫通孔６に貫通配設した際に、この長尺体１の外周面を周方向に囲繞するように構成している。
【００５１】
言い換えると、被嵌体３を鋼管や電線管などの円筒形の長尺体１に被嵌した際に、被嵌体３の内周面に設けたシート状研磨体５が、長尺体１の外周面を周面方向にぐるり一周包囲するように当接する構成とし、従来のディスクサンダーなどの素地調整工具のように長尺体１に対して線状に当接するのではなく、長尺体１の外周面の周方向に沿って面で当接する構成としている。
【００５２】
また、本実施例のシート状研磨体５は、研磨体５自体が厚さ方向に伸縮する弾性を有する研磨体５を採用した構成とし、具体的には、本実施例では、砥粒付不織布からなる研磨体５を採用した構成としている。
【００５３】
また、シート状研磨体５を不織布で構成することで、シート状研磨体５は可撓（変形）性をも有することとなり、図８に示すように、この砥粒付不織布からなるシート状研磨体５を被嵌体３の貫通孔６の内周面に沿設状態に設けることができ、よって、被嵌体３を構成する上側被嵌半体３ａと下側被嵌半体３ｂとで長尺体１を被嵌し、上側被嵌半体３ａに設けた掛止係止具27を下側被嵌半体３ｂに設けた鉤状係止部28に引掛けて係止状態する際、掛止係止具27が鉤状係止部28を引き寄せることで下側被嵌半体３ｂが上側被嵌半体３ａ側に引き寄せられ、これによって、被嵌半体３ａ，３ｂ、即ち、被嵌体３がシート状研磨体５を押圧することとなり、この被嵌体３に押圧されたシート状研磨体５は収縮状態となるが、この収縮状態となったシート状研磨体５は、もとの形状に戻ろうとする弾性力を生じることとなり、この弾性力が長尺体１を押圧する押圧力となることで、シート状研磨体５が長尺体１の外周面に被嵌した際に長尺体１に対して押圧状態に密着して、良好に長尺体１を研磨するように構成している。
【００５４】
尚、本実施例では、被嵌体３の正面側及び背面側の貫通孔６の開口部周縁に、内方に突出する研磨体当接周縁部33を設けた構成とし、貫通孔６の内面にシート状研磨体５を設けた際に、この研磨体当接周縁部33にシート状研磨体５が当接して位置決められるように構成し、被嵌体３の往復スライド移動に伴ってこのシート状研磨体５も往復スライド移動するように構成している。
【００５５】
また、本実施例のシート状研磨体５は、被嵌体３に着脱自在に設けた構成とし、不織布に付着させた砥粒が消耗し、研磨状態が良好でなくなった場合は容易に交換できるように構成している。
【００５６】
また、本実施例を、シート状研磨体５の厚みを変更可能な構成とする、或いは、シート状研磨体５と被嵌体３の内周面との間に厚さ調整用部材（スペーサー）を挿入配設し得る構成とすることで、長尺体１への押圧状態を変更したり、管径の異なる長尺体１でも容易に素地調整作業を行うことができるように構成しても良い。
【００５７】
即ち、シート状研磨体５の厚みを厚くするか、スペーサーを挿入配設することで、管径の細い長尺体１の素地調整作業に対応でき、シート状研磨体５の厚さを薄くするか、スペーサーを取り外すことで管径の太い長尺体１の素地調整作業に対応できるような構成としても良い。
【００５８】
尚、本発明は、本実施例に限られるものではなく、各構成要件の具体的構成は適宜設計し得るものである。
【符号の説明】
【００５９】
１  長尺体
２  移動基体
３  被嵌体
３ａ  上側被嵌半体
３ｂ  下側被嵌半体
４  駆動装置
５  シート状研磨体
７  ハンドル部
８  本体部
26 枢着部材